(57)【要約】      （修正有）【課題】様々な首輪の寸法に柔軟に対応することが出来る首輪装着具の提供。【解決手段】首輪装着具１０は、本体部１１と、当該本体部１１の両側に設けられた首輪挿通部１２と、を備え、当該首輪挿通部１２は、前記本体部１１から延びる環状部１３と、当該環状部１３を開口面積が異なる第１挿通口１５ａと第２挿通口１５ｂとに分断する仕切り部１４と、を備える。仕切り部１４を取り去ることで、第１挿通口１５ａ、第２挿通口１５ｂよりも開口面積が大きい第３挿通口を形成することができる。第１挿通口１５ａ乃至第３挿通口を適宜使用することで、首輪装着具１０を様々な寸法の首輪に装着することができる。本体部１１には、物品収納部１１ａを設けることができ、その物品収納部１１ａには、動物の状態を検知するセンサユニット１を収納することができる。【選択図】図３
2017127225.tif 000002
【特許請求の範囲】
【請求項１】
本体部と、
当該本体部の両側に設けられた首輪挿通部と、を備え、
当該首輪挿通部は、前記本体部から延びる環状部と、当該環状部を開口面積が異なる第１挿通口と第２挿通口とに分断する仕切り部と、を備える首輪装着具。
【請求項２】
前記本体部は、物品収納部を備える請求項１に記載の首輪装着具。
【請求項３】
前記仕切り部は、切断可能に設けられた請求項１又は２に記載の首輪装着具。
【請求項４】
前記仕切り部は、相互に着脱自在に設けられた第１腕部材と第２腕部材とを含む請求項１又は２に記載の首輪装着具。
【請求項５】
前記本体部と、前記首輪挿通部及び前記仕切り部が伸縮性を有する弾性素材により一体成形された請求項１乃至４のいずれか１項に記載の首輪装着具。
【発明の詳細な説明】
【技術分野】
【０００１】
本発明は、首輪装着具に関する。
【背景技術】
【０００２】
昨今、犬猫等の愛玩動物や、家畜等を遠隔監視する装置が提案されている。例えば、犬猫等の首輪に取り付けられた耐水ケースに収納されたセンサユニットで犬猫等の心拍数を検出し、検出した心拍数のデータを監視ユニットへ無線送信する装置が知られている（例えば、特許文献１参照）。
【先行技術文献】
【特許文献】
【０００３】
【特許文献１】特開２００１−１７８６９２号公報
【発明の概要】
【発明が解決しようとする課題】
【０００４】
ところで、愛玩動物や家畜等の首回りの寸法は様々であり、首輪の寸法も様々である。首輪の寸法は、装着する動物に応じて選定され、特に、センサユニットを保持する首輪にあっては、動物にできるだけ不快感を与えることなく、正確なデータを収集するためにも、適切な寸法の首輪を選定することが求められる。しかしながら、特許文献１では、これらの点について配慮されておらず、個々の首輪にセンサユニットを保持するための耐水ケースを装備しなければならない。このため、動物の様々な首回りの寸法に対応するためには、予め様々な寸法の首輪に耐水ケースを備えつけておかなければならず、煩雑であり、コスト高になると考えられる。
【０００５】
１つの側面では、本明細書開示の首輪装着具は、様々な首輪の寸法に柔軟に対応することを課題とする。
【課題を解決するための手段】
【０００６】
本明細書開示の首輪装着具は、本体部と、当該本体部の両側に設けられた首輪挿通部と、を備え、当該首輪挿通部は、前記本体部から延びる環状部と、当該環状部を開口面積が異なる第１挿通口と第２挿通口とに分断する仕切り部と、を備える。
【発明の効果】
【０００７】
本明細書開示の首輪装着具によれば、様々な首輪の寸法に柔軟に対応することができる。
【図面の簡単な説明】
【０００８】
【図１】図１はセンサユニットと監視装置との間の無線通信の様子を模式的に示す説明図である。
【図２】図２（Ａ）はセンサユニットと監視装置のブロック図の一例であり、図２（Ｂ）はセンサユニットによって測定されるデータの一例を示す説明図である。
【図３】図３は第１実施形態の首輪装着具及びセンサユニットを示す斜視図である。
【図４】図４は第１実施形態の首輪装着具を首輪に装着した様子を示す説明図である。
【図５】図５は第１実施形態の首輪装着具を図４に示す態様と異なる態様で首輪に装着した様子を示す説明図である。
【図６】図６は第１実施形態の首輪装着具を図４に示す首輪よりも太い首輪に装着した様子を示す説明図である。
【図７】図７は第１実施形態の首輪装着具の仕切り部を切り離した様子を示す説明図である。
【図８】図８は図７に示す首輪装着具を首輪に装着した様子を示す説明図である。
【図９】図９は第２実施形態の首輪装着具の主要部を示す説明図である。
【図１０】図１０は第１腕部材と第２腕部材との係合を解いた状態の第２実施形態の首輪装着具を示す説明図である。
【発明を実施するための形態】
【０００９】
以下、本発明の実施形態について、添付図面を参照しつつ説明する。ただし、図面中、各部の寸法、比率等は、実際のものと完全に一致するようには図示されていない場合がある。また、図面によっては、説明の都合上、実際には存在する構成要素が省略されていたり、寸法が実際よりも誇張されて描かれていたりする場合がある。
【００１０】
（第１実施形態）
まず、図１、図２（Ａ）及び図２（Ｂ）を参照しつつ、本実施形態の首輪装着具１０を好適に使用することができるセンサユニット１について説明する。図１はセンサユニットと監視装置との間の無線通信の様子を模式的に示す説明図である。図２（Ａ）はセンサユニットと監視装置のブロック図の一例であり、図２（Ｂ）はセンサユニットによって測定されるデータの一例を示す説明図である。センサユニット１は、監視装置２との間で無線通信を行うことができる。
【００１１】
センサユニット１は、加速度センサ、Ａ／Ｄ変換部、ＣＰＵ（Central Processing Unit）、プログラムが格納されたＲＯＭ（Read Only Memory）、各種データやパラメータ等が格納されたＲＡＭ（Random Access Memory）や電池を内蔵しており、送信部１ａ、記録部１ｂ及び測定部１ｃを構成している。本実施形態のセンサユニット１は、図２（Ｂ）にその一例を示すように、測定部１ｃによって動物の歩数をカウントし、記録部１ｂに記録する。そして、記録部１ｂに記録されたデータを、送信部１ａを通じて監視装置２へ送信する。なお、本実施形態では、歩数を測定しているが、例えば、動物が、頭部や胴体を振った回数等、動物の行動や、健康状態を把握するのに役立つ種々のデータを測定してもよい。センサユニット１の表面には、その動作状況を表示するランプ１ｄと周囲の温度を測定するための通気孔１１ｅが設けられている。
【００１２】
監視装置２は、ネットワーク接続部２ａと受信部２ｂとを備える。監視装置２は、センサユニット１から送信されたデータを受信し、さらに、ネットワークを通じて、コンピュータに送信することができる。これにより、動物の健康管理をすることができる。また、ネットワークを通じることで、遠隔地にいる、飼い主や獣医等にそのデータを送信することもできる。これにより、遠隔地にいる飼い主等は、動物の様子を知ることができる。ネットワーク上のコンピュータやサーバに動物の状態に関するデータを蓄積することで、継続的に動物の健康管理を行うことができる。
【００１３】
つぎに、図３乃至図８を参照しつつ、第１実施形態の首輪装着具１０について説明する。図３を参照すると、首輪装着具１０は、本体部１１と、本体部１１の両側に設けられた首輪挿通部１２と、を備える。なお、以下の説明では、首輪装着具１０の表面側及び裏面側とを図３に示すように設定する。裏面側は、首輪装着具１０が装着された首輪が動物に装着されたときに動物の首に近い側である。
【００１４】
首輪装着具１０は、首輪に装着される装着具であり、その全体を、伸縮性を有する弾性体によって一体成形されている。首輪装着具１０は、例えば、ゴム製とすることができ、本実施形態の首輪装着具１０は、シリコンゴムで一体成形されている。首輪装着具１０は、一体成形とされることで、首輪に装着するための、例えば、ゴムバンドや面ファスナー等の部品が不要であるため、コストを削減することができる。
【００１５】
本体部１１は、表面側に収納口１１ａ１を介して外部と連通する物品収納部１１ａを備える。本実施形態では、この物品収納部にセンサユニット１を収納する。物品収納部１１ａは、シリコンゴムで成形されており、柔軟性を有するので、収納口１１ａ１を押し広げてセンサユニット１を物品収納部１１ａに出し入れすることができる。なお、物品収納部１１ａには、他の物品を収納してもよい。例えば、愛玩動物の場合、その動物の飼い主の連絡先を記載したプレート等を収納するようにしてもよい。この場合、物品収納部１１ａの表面側に文字が読み取れる窓部を設けてもよい。なお、本実施形態の物品収納部１１ａの表面側には、センサユニット１が備えるランプ１ｄの位置に対応させたランプ孔１１ａ２と、通気孔１ｅと連通する通気孔１１ａ３が設けられている。
【００１６】
首輪挿通部１２は、本体部１１の両側にそれぞれ設けられている。首輪挿通部１２は、本体部１１から延びる環状部１３と、この環状部１３を開口面積が異なる第１挿通口１５ａと第２挿通口１５ｂとに分断する仕切り部１４と、を備える。環状部１３は、首の形状に沿わせるべく、裏面側に向かって、僅かに傾斜させて設けられている。環状部１３は、本体部１１からそれぞれ側方に向かって平行に延びる２本の延設部１３ａと、延設部１３ａの先端部同士を接続する連設部１３ｂを備えることで、環状に形成されている。
【００１７】
仕切り部１４は、環状部１３を開口面積が異なる第１挿通口１５ａと第２挿通口１５ｂとに分断する。仕切り部１４は、その端部１４ａが環状部１３の平行に伸びる延設部１３ａと接続されることで、環状部１３の内側を分断している。ここで、本体部１１から仕切り部１４までの距離よりも、仕切り部１４から連設部１３ｂまでの距離の方が長い。これにより、本体部１１に近い側に開口面積の小さい第１挿通口１５ａが形成され、本体部１１から遠い側に開口面積の大きい第２挿通口１５ｂが形成される。
【００１８】
このような首輪挿通部１２は、例えば、図４で示すように、首輪２０ａに装着することができる。図４に示す例では、本体部１１に近い裏面側から首輪２０ａの先端部を第１挿通口１５ａに通し、仕切り部１４の表面側を経て、表面側から第２挿通口１５ｂに通す。これを本体部１１の両側の首輪挿通部１２に対して行うことで、首輪装着具１０を首輪２０ａに装着することができる。
【００１９】
ここで、首輪２０ａの太さ（幅）は、延設部１３ａの間隔よりも狭い。このため、環状部１３を伸ばすことなく首輪装着具１０を首輪２０ａに装着することができる。首輪装着具１０は、第１挿通口１５ａと第２挿通口１５ｂに挿通されることで、安定した状態で首輪２０ａに装着することができる。また、首輪装着具１０の素材は、シリコンゴムであり、本体部１１、環状部１３及び仕切り部１４と首輪２０ａとの摩擦によっても、首輪２０ａへの首輪装着具１０の装着状態が安定する。首輪装着具１０が安定した状態で装着されると、物品収納部１１ａ内に収納されたセンサユニット１による測定の精度が向上する。
【００２０】
このような首輪２０ａに首輪装着具１０を装着する場合、図５に示すように、首輪２０ａを第２挿通口１５ｂに挿通させない状態とすることもできる。首輪装着具１０を、このような装着状態として、首輪２０ａを動物に装着すると、連設部１３ｂと仕切り部１４が首輪２０ａによって動物の首へ密着させられる。このため、首輪装着具１０が安定した状態で装着されることになる。
【００２１】
つぎに、図６を参照しつつ、首輪２０ａよりも太い首輪２０ｂに首輪装着具１０を装着する様子について説明する。首輪２０ｂの太さ（幅）は、延設部１３ａの間隔よりも広い。このため、首輪２０ｂに首輪装着具１０を装着するときは、本体部１１に近い裏面側から首輪２０ａの先端部を第２挿通口１５ｂに通す。このとき、第２挿通口１５ｂの形状は、シリコンゴムの弾性によって変形する。これにより、延設部１３ａの間隔よりも幅が広い首輪２０ｂを第２挿通口１５ｂに挿通させることができる。このようにして装着された首輪装着具１０は、延設部１３ａや連設部１３ｂがその伸縮性により首輪２０ｂに密着するため、安定した状態で首輪２０ｂに装着される。
【００２２】
第２挿通口１５ｂは、シリコンゴムの弾性によって伸張可能であるので、その開口面積を拡大することができる。すなわち、第２挿通口１５ｂは、首輪２０ｂの太さに柔軟に対応することでき、首輪２０ｂへの安定した装着を実現することができる。
【００２３】
なお、第１挿通口１５ａも、第２挿通口１５ｂよりは変形量が小さいものの、シリコンゴムの弾性によってその開口面積を拡大することができるため、首輪の太さに応じて、第１挿通口１５ａを利用してもよい。
【００２４】
つぎに、図７及び図８を参照しつつ、首輪２０ｂよりもさらに太い（幅が広い）首輪２０ｃへの首輪装着具１０の装着について説明する。首輪２０ｃは、第２挿通口１５ｂの開口面積を拡大しても対応することができない程度の太さを有する。そこで、図７に示すように、仕切り部１４をその端部１４ａで延設部１３ａから切り離す。これにより、第１挿通口１５ａと第２挿通口１５ｂが連結され、第３挿通口１５ｃが形成される。仕切り部１４と延設部１３ａは、シリコンゴムで成形されているので、容易に切り離すことができる。第３挿通口１５ｃは、伸ばされていない状態で、ほぼ、第１挿通口１５ａと第２挿通口１５ｂを合わせた開口面積を有する。さらに、延設部１３ａと連設部１３ｂを伸ばすことで、さらに開口面積を拡大することができる。このため、非常に太い首輪２０ｃにも対応することができる。首輪装着具１０を首輪２０ｃに装着するときは、本体部１１に近い裏面側から首輪２０ｃの先端部を第３挿通口１５ｃに通す。このようにして装着された首輪装着具１０は、延設部１３ａや連設部１３ｂがその伸縮性により首輪２０ｃに密着するため、安定した状態で首輪２０ｃに装着される。
【００２５】
このように、第１実施形態の首輪装着具１０によれば、様々な首輪の寸法に柔軟に対応することができる。
【００２６】
（第２実施形態）
つぎに、図９及び図１０を参照しつつ、第２実施形態の首輪装着具１００について、説明する。第２実施形態の首輪装着具１００が第１実施形態と異なるのは、仕切り部１４に代わる仕切り部として、相互に着脱自在に設けられた第１腕部材１４０ａと第２腕部材１４０ｂとを備える点である。
【００２７】
首輪装着具１００は、第１実施形態の首輪装着具１０と同様に物品収納部１１ａを備えた本体部１１を備える。また、首輪装着具１００は、首輪挿通部１２０を備える。首輪挿通部１２０は、２本の延設部１３０ａと、これらを接続する連設部１３０ｂを有する環状部１３０を備える。環状部１３０は、第１腕部材１４０ａと第２腕部材１４０ｂとによって、開口面積が異なる第１挿通口１５０ａと第２挿通口１５０ｂとに分断される。第１挿通口１５０ａと第２挿通口１５０ｂの位置関係及び開口面積の関係は、第１実施形態の首輪装着具１０と同様である。
【００２８】
第１実施形態における仕切り部１４は、第３挿通口１５ｃを形成するために、一旦切断してしまうと、再度、第１挿通口１５ａ及び第２挿通口１５ｂを形成することができない。そこで、第２実施形態では、第１腕部材１４０ａと第２腕部材１４０ｂとを着脱自在に設けることで、第１挿通口１５０ａと第２挿通口１５０ｂとが形成された状態と、第３挿通口１５０ｃが形成された状態とを適宜切り替え可能としている。
【００２９】
第１腕部材１４０ａは、一方の延設部１３０ａから環状部１３０の内側に向かって延びており、その先端部に係合穴１４０ａ１を有する。第２腕部材１４０ｂは、他方の延設部１３０ａから環状部１３０の内側に向かって延びており、その先端部に係合穴１４０ａ１と係合する係合突起１４０ｂ１を有する。
【００３０】
図９に示すように、第１腕部材１４０ａと第２腕部材１４０ｂとを連結した状態とすれば、第１実施例の首輪装着具１０において、仕切り部１４が切断されていない状態と同様の状態とすることができる。一方、図１０に示すように、第１腕部材１４０ａと第２腕部材１４０ｂとの係合を解除すれば、第１実施例の首輪装着具１０において、仕切り部１４が切断された状態と同様の状態とすることができる。
【００３１】
第２実施形態の首輪装着具１００によれば、一旦、太い首輪に使用した後に、細い首輪にも使用することができる。
【００３２】
以上本発明の好ましい実施形態について詳述したが、本発明は係る特定の実施形態に限定されるものではなく、特許請求の範囲に記載された本発明の要旨の範囲内において、種々の変形、変更が可能である。
【符号の説明】
【００３３】
１  センサユニット
２  監視装置
１０、１００  首輪装着具
１１  本体部
１１ａ  物品収納部
１２、１２０  首輪挿通部
１３  環状部
１３ａ  延設部
１３ｂ  連設部
１４  仕切り部
１４ａ  端部
１５ａ、１５０ａ  第１挿通口
１５ｂ、１５０ｂ  第２挿通口
１５ｃ、１５０ｃ  第３挿通口
２０ａ、２０ｂ、２０ｃ  首輪
【図１】
2017127225.tif 000003
【図２】
2017127225.tif 000004
【図３】
2017127225.tif 000005
【図４】
2017127225.tif 000006
【図５】
2017127225.tif 000007
【図６】
2017127225.tif 000008
【図７】
2017127225.tif 000009
【図８】
2017127225.tif 000010
【図９】
2017127225.tif 000011
【図１０】
2017127225.tif 000012